(57)【要約】      （修正有）【課題】  灸治療に当たり、もぐさを用いることなく、ツボに熱刺激を与えるための加熱源として火や電気モーターなどの加熱器具を使用することなく、水を加熱源とする安全且つ画期的な灸治療法を提供する。【解決手段】  水又は水及び塩水を含まない発熱組成物Ａを人体のツボに当て、これに水又は塩水を付与することを特徴とする。少なくとも鉄粉と炭素粉と塩類とから成る発熱組成物Ａには水を付与し、少なくとも鉄分と炭素粉とから成る発熱組成物には塩水を付与する。これにより、発熱組成物Ａは灸治療として適した熱刺激を与えることができる。【選択図】図１
2007068820.tif 000002
【特許請求の範囲】
【請求項１】
水を含まない発熱組成物を人体の所要のツボに当て、これに水又は塩水を付与することを特徴とする灸治療法。
【請求項２】
水及び塩類を含まない発熱組成物を人体の所要のツボに当て、これに塩水を付与することを特徴とする灸治療法。
【請求項３】
水を含まない発熱組成物は、少なくとも鉄粉、炭素粉及び塩類から成ることを特徴とする請求項１に記載の灸治療法。
【請求項４】
水及び塩類を含まない発熱組成物は、少なくとも鉄粉及び炭素粉から成ることを特徴とする請求項２に記載の灸治療法。
【請求項５】
水又は水及び塩類を含まない請求項１〜４のいずれか１つに記載の発熱組成物は、粉体又は成形体であることを特徴とする灸治療法。
【請求項６】
該塩水は、塩類の少なくとも１種を水に２５重量％以下溶解して成る濃度の塩水であることを特徴とする請求項１又は２に記載の灸治療法。
【請求項７】
請求項１，３又は５に記載の水を含まない発熱組成物と水又は塩水とを組み合わせたことを特徴とする灸治療用具。
【請求項８】
請求項２，４又は５に記載の水及び塩類を含まない発熱組成物と塩水を組み合わせたことを特徴とする灸治療用具。
【請求項９】
請求項７に記載の水を含まない発熱組成物の粉体又は成形体を収容した密封容器と水又は塩水を収容した密封容器とを一組としたことを特徴とする灸治療用具。
【請求項１０】
請求項８に記載の水及び塩類を含まない発熱組成物の粉体又は成形体を収容した密封容器と塩水を収容した密封容器とを一組としたことを特徴とする灸治療用具。
【請求項１１】
請求項８又は９に記載の水又は水及び塩類を含まない発熱組成物の成形体をツボに当てるに適した小型としたものを、少なくとも１枚の肉薄のシートの小片上に貼着して成ることを特徴とする灸治療用灸具。
【請求項１２】
請求項１１に記載の発熱組成物の小型の成形体の多数個を、離型シートの上面に縦横に仮貼着して成ることを特徴とする一連の灸治療用灸具。
【請求項１３】
請求項１１に記載の灸具を通気孔を穿設した適当な厚さの台紙上に貼着して成ることを特徴とする灸治療用灸具。
【請求項１４】
請求項７又は８に記載の水又は水及び塩類を含まない発熱組成物の小型の柱状成形体を合成樹脂製の筒状成形体の中心の筒状通気孔内に装填して成ることを特徴とする灸治療用灸具。
【発明の詳細な説明】
【技術分野】
【０００１】
本発明は、灸治療法及び灸治療用具に関する。
【背景技術】
【０００２】
従来、古くから、もぐさを、通常、米粒の半分程の少量を人体のツボに当て、線香でもぐさに火を付け燃焼させ、その熱刺激をツボに与える直接灸治療法と、ツボともぐさの間に、肉薄に切ったにんにくなどの切片を介在させた状態で熱刺激を与える間接灸治療法が行われているが、火を用いるため、火災の危険があり、また、燃焼時の煙や臭気を発生するため、人によっては、これを嫌う傾向がある。
かゝる不都合を解消するため、近年は、火を使わない灸治療具として、特開平１０−５２６７公報に記載のように電熱器を熱源とした発明や、特開２０００−０２４０７８公報に記載のように、特殊な天然鉱石を粉砕し、成形、焼成したものを発熱体により人体が吸収する特定の波長の電磁波を発生せしめるようにした温熱灸治療具及び灸治療発熱材の発明、或いはまた、特開２０００−２５４２０５公報に記載のように、使い捨てカイロの発熱組成物などを発熱体としてもぐさを燃焼させることなく加熱して、もぐさのお灸効果を付与した温熱灸の発明などが夫々開示されている。
【特許文献１】特開平１０−５２６７公報
【特許文献２】特開２０００−０２４０７８公報
【特許文献３】特開２０００−２５４２０５公報
【発明の開示】
【発明が解決しようとする課題】
【０００３】
前記の特許文献１の発明に係る灸治療具は、温灸、蓄熱手段、断熱部などを具備せしめる特殊な構造体から成り且つ電熱器を使用する不便があり、製造コストの増大など高価な製品となる。前記の特許文献２の発明に係る温熱治療発熱材は特殊な鉱物であるため、その鉱物を大量に入手することができず、而もその温熱治療具も製造コストが増大し、高価な製品となる。
前記の特許文献３の発明は、もぐさの加熱源として使い捨てカイロの発熱組成物を使用するので、実用が困難である。即ち、使い捨てカイロは周知のように、使用に当たり、これを密封した外袋を破り、微多孔性の袋に収容されている使い捨てカイロを外袋から取り出した瞬間に、その微多孔性袋内のカイロ本体、即ち、発熱組成物は、これを収納している微多孔性袋を通じて侵入する空気と接触し、発熱を開始する。従って、この発熱組成物をもぐさを加熱する発熱体として使用するには、その微多孔性の袋を破り、発熱している発熱組成物粉体を外部に取り出すときは、更に空気に曝されるためその全体が急激に発熱昇温する。従って、前記の特許文献３によれば、これをもぐさと混ぜて発熱灸として使用することとなる。実際には、１回分の灸に必要なもぐさの量は少量であるから、この１回分のもぐさを加熱するために使用するに必要な発熱組成物も極めて少量である。従って、その使い捨てカイロから取り出した大量の発熱組成物の全部をもぐさの加熱に使用するため、もぐさに混ぜるなどして温熱灸を製造する過程で発熱温度が低下し、発熱が終了してしまうので、その大部分は温熱灸として利用できず、廃棄処分しなければならず、無駄を生ずる。従って、使い捨てカイロの発熱組成物をそのまゝもぐさを加熱するための発熱体とする温熱灸は実用上困難と思われる。
本発明は、上記の従来技術の不都合を解消し、従来の使い捨てカイロの発熱組成物と同じ配合組成材料を使用するが、大量生産が可能であり且つ安価に製造でき、而も、大気に曝しても発熱することなく安定した発熱組成物を製造でき、而も使用者が必要なときに、発熱させて灸治療、即ち、熱刺激による治療を行うことができる灸治療法及び灸治療用具を提供することを目的とする。
【課題を解決するための手段】
【０００４】
本発明の灸治療法は、水を含まない発熱組成物を人体の所要のツボに当て、これに水又は塩水を付与することを特徴とする。
更に本発明の灸治療法は、水及び塩類を含まない発熱組成物を人体の所要のツボに当て、これに塩水を付与することを特徴とする。
更に本発明は、上記の灸治療法において、水を含まない発熱組成物は、少なくとも鉄粉、炭素粉及び塩類から成ることを特徴とする。
更に本発明は、上記の灸治療法において、水及び塩類を含まない発熱組成物は、少なくとも鉄粉及び炭素粉から成ることを特徴とする。
更に本発明は、上記の灸治療法において、水又は水及び塩類を含まない発熱組成物は、粉体又は成形体であることを特徴とする。
更に本発明は、上記の灸治療法において、該塩水は、塩類の少なくとも１種を水に２５重量％以下溶解して成る濃度の塩水であることを特徴とする。
更に本発明の上記の灸治療法に用いる灸治療用具は、上記の水を含まない発熱組成物と水又は塩水とを組み合わせたことを特徴とする。
更に本発明の上記の灸治療法に用いる灸治療用具は、水及び塩類を含まない発熱組成物と塩水を組み合わせたことを特徴とする。
更に本発明は、上記の灸治療用具において、上記の水を含まない発熱組成物の粉体又は成形体を収容した密封容器と水又は塩水を収容した密封容器とを一組としたことを特徴とする。
更に本発明は、上記の灸治療用具において、上記の水及び塩類を含まない発熱組成物の粉体又は成形体を収容した密封容器と塩水を収容した密封容器とを一組としたことを特徴とする。
更に本発明は、上記の灸治療用具において使用される灸具は、上記の水又は水及び塩類を含まない発熱組成物の成形体をツボに当てるに適した小型としたものを、少なくとも１枚の肉薄のシートの小片上に貼着して成ることを特徴とする。
更に本発明は、上記の灸治療用具において使用される灸具は、上記の発熱組成物の小型の成形体の多数個を、離型シートの上面に縦横に仮貼着して成ることを特徴とする。
更に本発明は、上記の灸治療用具において使用される灸具は、上記の灸具を通気孔を穿設した適当な厚さの台紙上に貼着して成ることを特徴とする。
更に本発明は、上記の灸治療用具において使用される灸具は、上記の水又は水及び塩類を含まない発熱組成物の小型の柱状成形体を合成樹脂製の筒状成形体の中心の筒状通気孔内に装填して成ることを特徴とする。
【発明の効果】
【０００５】
請求項１又は２に係る発明によれば、その各発熱組成物は、従来の使い捨てカイロの発熱組成物とは異なり、その配合成分として少なくとも水又は水及び塩類を含ませていないので、空気に曝されても発熱せず、長期に亘り安定に保存ができ、使用に当たり、使用者は、その少量を所要のツボに当て、ツボに当てた発熱組成物が水を含まない発熱組成物である場合には、これに水又は塩水を付与し、水と塩類を含まない発熱組成物である場合には、塩水を付与し、各該発熱組成物を濡らせば発熱を開始し、灸に適する温度に昇温し、灸治療、即ち、熱刺激治療を行うことができる。このように、本発明の発熱組成物は、長期に亘り保存でき、使用の際に水を添加するだけで発熱し、ツボに熱刺激を与えることができるので、安定した灸具としての製造ができ、無駄なく有効に利用でき、従来のもぐさを燃焼させる上記の課題を解消されるばかりでなく、また、上記従来のような特殊な鉱物や電熱器具などの加熱源を使用する必要がない。また、従来の使い捨てカイロを発熱組成物として使用し、もぐさを加熱する場合の上記の不都合を解消し、而も使い捨てカイロの製造原料を使用し、安価に且つ大量生産が可能である。
水を含まない発熱組成物は、少なくとも鉄粉、炭素粉及び塩類から成れば足り、また、水及び塩類を含まない発熱組成物は、少なくとも鉄粉と炭素粉から成れば足り、いずれの発熱組成物も容易且つ経済的な灸具として使用できる。
また、これらの発熱組成物は、粉体又は成形体の形態で製造され、その少量をツボに当て使用できる。
尚、これら発熱組成物に付与される塩水は、２５重量％以下の濃度で使用することが好ましく経済的であり、これにより確実にお灸の熱刺激温度が得られる。
上記の灸治療法に用いる本発明の灸治療用具は、一般に、水を含まない発熱組成物の場合には、水又は塩水との組み合わせから成る一組の灸治療用具として使用される。水及び塩類を含まない発熱組成物の場合には、塩水との組み合わせから成る一組の灸治療用具として使用される。具体的には、上記の各発熱組成物の粉体又は成形体を各種の容器に収容密封したものと水又は塩水を夫々の各種の容器に収容密封したものとを一組として製造、販売することにより使用者に便利をもたらす。
また、上記の一組の灸治療用具のうち、発熱組成物としては、その成形体を１回毎の灸治療に適する小型の成形体を小片の肉薄の紙片に貼着した灸具としたり、筒状体の中心の筒状通気孔に各柱状成形体を装填した灸具などとすることにより、使用を便利にすることができ、また、該灸具の紙片の裏面に通気孔を有する台紙を貼着した灸具とすることにより、熱刺激を適当に調節できる。
【発明を実施するための最良の形態】
【０００６】
従来の使い捨てカイロの発熱組成物は、一般に、発熱主剤としての還元鉄などの鉄粉、酸化速度調整剤としての炭素粉、代表的には活性炭、触媒としての塩類、代表的には塩化ナトリウムなどの塩化物、保水剤としてバーミキュライトなどの多孔質粉及び塩類を溶解し酸化剤としての水を配合し混合したものである。その各成分の配合割合は、例えば鉄粉４０％、活性炭１７％、塩化ナトリウム５％、バーミキュライト１５％及び水２３％から成る。かゝる発熱組成物を微多孔性の通気性袋内に収容したものがいわゆるカイロである。而して、一般に市販されているいわゆる使い捨てカイロは、上記のカイロを気密な外袋に収納されて市販されている。而して、この使い捨てカイロを開封し、その発熱組成物をカイロと使用した場合、発熱温度４０〜６０℃程度を１０時間以上保持できるものである。
【０００７】
而して、いわゆる使い捨てカイロである該発熱組成物が、空気に触れたとき、直ちに酸化発熱反応を生ずるのは、該発熱組成物中に鉄粉と塩類と水とが共存しているところに空気が接触するからである。この酸化発熱機構に徴し、本発明がなされたのである。
即ち、本発明によれば、使い捨てカイロとして使用される発熱組成物から、少なくとも水を除いたものを本発明の発熱組成物Ａとする場合と、水及び塩類を除いたものを本発明の発熱組成物Ｂとする場合の２種類の発熱組成物Ａ，Ｂを作製する。この場合、前記のバーミキュライトなどの多孔質粉は保水剤であるから、発熱組成物Ａ，Ｂの必須材料ではない。
このように、上記の本発明の発熱組成物Ａは、少なくとも還元鉄粉などの鉄粉と活性炭などの炭素粉とから成るもので、本発明の発熱組成物Ｂは、少なくとも鉄粉と炭素粉と塩化カリウムなどの塩類とから成るものである。両発熱組成物Ａ，Ｂは、少なくとも水を含まないので、例えば、外気に１ヶ月程度放置しても発熱反応を生じないことを確認した。而して、これら発熱組成物に発熱反応を起こさせるには、発熱組成物Ａには塩水を添加し、発熱組成物Ｂには水を添加することにより、直ちに酸化発熱反応を生じ、直ちに灸治療に必要な高温に達する。従って、従来のもぐさの燃焼による熱刺激による灸治療法に代わり、灸治療に適用できることを知見した。
【０００８】
尚、発熱組成物Ｂには、水に代え、濃度の如何に拘わらず塩水を添加しても、その水が酸化剤として作用しているのであるから水の添加とその作用は実質上同じと解する。
【０００９】
従って、本発明によれば、上記の灸治療法を実施する灸治療用具として、発熱組成物Ａと塩水とを一組として組み合わせたもの、発熱組成物Ｂと水又は塩水とを一組としたものが考えられる。
塩水としては、塩化カリウム、塩化ナトリウムなどの各種の塩類の少なくとも１種を水に溶解したもので、２５重量％溶解したものが経済的であり、発熱組成物Ａに添加する塩水の濃度は、１０〜２５重量％のものが好ましく使用される。
発熱組成物Ａ，Ｂに、バーミキュライトその他所望の各種の多孔質粉の少なくとも１種を添加した粉体を添加することが一般に好ましい。また、発熱組成物Ａ，Ｂは、粉体の形態の他、粉体に無機系又は有機系の繊維質粉から成る少なくとも１種の成形材を添加、混合することにより、ツボに当てる灸具として適する小型の盤状、柱状などの所望の形状に成形された成形体の形態とすることが使用上好ましい。粉体の場合は、その少量を灸具としてツボに当てゝ使用される。
発熱組成物Ａ，Ｂの夫々の粉体の所望量又は小型の成形体の所望個数は、所定の大きさのガラス製、陶磁器製、プラスチック製などの瓶型の容器や気密な袋状や箱型などの容器に収容し密封したものを市販用灸具として作製する一方、かゝる密封容器入りの該発熱組成物Ａの量に対応する所定量の上記の塩水を入れた瓶型容器と、かゝる密閉容器入りの該発熱組成物Ｂの量に対応する所定量の水又は塩水を入れた密閉容器を夫々市販用灸具として作製し、その各一対を一組のセットとして市販するようにすることが一般である。但、密閉容器入りの該発熱組成物Ｂの場合は、これと組み合わせる水は各家庭や鍼灸院における水道の水でも使用できるので、必ずしも水入り容器と一組のセットとして市販する必要はなく、単独で市販するようにしてもよい。
【００１０】
発熱組成物Ａとしては、還元鉄粉などの鉄粉１００重量％に対し、活性炭などの炭素粉３０〜６０重量％を多孔質粉としてバーミキュライト粉１０〜３０重量％配合し、良く混合して成る粉体が好ましく、発熱組成物Ｂとしては、該粉体に更に、塩類として塩化カリウムなどの塩類の少なくとも１種を１０〜２５重量％配合し、良く混合した粉体が好ましい。
【００１１】
上記の発熱組成物Ａ，Ｂの夫々の粉体を、成形体とするときには、上記の夫々の粉体に、鉄粉１００重量％に対し、成形材を１〜１０重量％程度の範囲で添加し、この粉体を、加圧成形機により灸に適する小型の円盤状、柱状などの所望の形状の成形体の多数個を製造することができる。更に、これらの成形体を異物との接触による損傷から保護するカバーを施すことが好ましい。
各小型の成形体は、適宜の大きさの熱透過性の肉薄の織布、不織布などのシートの小片上に貼着して成る灸治療用灸具として製造することが好ましい。而して、その所望個数を適当な大きさの瓶、箱、袋などの各種の容器に収容密封したものを商品とする。
灸具製品の変形例として、上記の灸具の多数個を、所定の大きさの離型シート上に縦横に適当な間隔を存して規則的に配設し仮貼着して成る一連の灸具を担持したシート状製品とし、この複数枚を袋や箱などの容器に収容、密封したものを商品とする。
上記の形態の灸具やその他の形態の灸具の例については、更に、添付図面を参照し、後記に詳述する。
【００１２】
本発明の具体的な実施例を詳述する。
実施例１
還元鉄粉１００ｇと活性炭４２ｇとバーミキュライト３６ｇを添加し良く撹拌して発熱組成物Ａの粉体から成る灸具Ａ１を作製した。
還元鉄粉１００ｇと活性炭４２ｇとバーミキュライト３６ｇと成形材としてポリテトラフルオルエチレン系繊維質粉５ｇを添加し良く撹拌して、発熱組成物Ａの粉体を作製後、これを加圧成形機により合成繊維不織布から成る肉薄強靭な通気性シート上面に径１ｃｍ、厚さ１ｍｍ程度の円盤状の発熱組成物Ａの成形体（重量０．２ｇ）の多数個を縦、横に配設貼着した後、打ち抜き型により、各成形体の周縁で径１．４ｍｍの円板状の肉薄シートの小片に打ち抜き、肉薄シートの小片上に発熱組成物Ａの成形体から成る灸具Ａ２を多数作製した。
本発明の発熱組成物Ａは、水と塩類を含まないので、上記の粉体及び成形体のいずれでも、１ヶ月程外気に曝し放置しておいても、発熱昇温することはなく、安定した品質を維持し、長期保存が可能であり、これに塩水を添加したときに始めて発熱昇温することに特徴がある。
従って、使用しない場合は、その粉体や成形体は、分包したり、瓶詰めなどの容器に収納密封して、保存したり製品とすることができ、使用者は、必要時に粉体の灸具Ａ１の場合は、容器からそのひとつまみを取り出しツボに当て、成形体の灸具Ａ２の場合は、その１個を取り出し、ツボに当て、これに塩水を少量付与することにより、灸治療を行うことができる。塩水は、上記の容器に入れた発熱組成物の量に見合う量を瓶に収容密栓して製品とし、前記の発熱組成物Ａの灸具Ａ１又はＡ２の包装容器とセットにして販売するようにすることが便利である。
次に、上記の作製した粉体及び成形体から成る灸具Ａ１，Ａ２につき、下記のように、発熱温度特性を試験した。
【００１３】
灸具Ａ１，Ａ２の発熱温度特性試験：
試験例１
人体の皮膚の表面温度と同じ３４±１℃の恒温に保たれたホットプレート上面に上記の灸具Ａ１又はＡ２を載置し得るに充分な載置面を有するセンサーを３個配設し、各センサーを各記録計に接続して構成した発熱温度測定装置を準備し、上記の容器から取り出した発熱組成物Ａの粉体約Ａ１の０．２ｇずつを各センサーの上面に載置し、予め調製しておいた塩化カリウムを水に２０％溶解した塩水をスポイトで、各センサー上の粉体Ａ１に１滴、２滴、３滴と添加量を異にして滴下した。該各粉体Ａ１の経時的な発熱温度を各対応する温度記録計により測定した。その結果を下記表１に示す。
【００１４】
【表１】
2007068820.tif 000003
【００１５】
試験例２
前記の各センサー上の試験済の粉体を除去後、３個の発熱組成物Ａの成形体から成る灸具Ａ２を各センサーの上面に載置し、前記の塩水をスポイトで各灸具Ａ２の成形体に、前記と同様に１滴、２滴、３滴と添加量を異にして滴下し、各成形体の経時的な発熱温度を各対応する温度記録計により測定した。その結果は、前記表１と略同じ発熱温度特性を得た。
【００１６】
灸による熱刺激治療法としては、人体のツボに対する有効な発熱温度は、少なくとも４５℃以上が好ましく、４５℃〜７０℃の範囲を３０秒以上維持すれば充分である。
この観点から検討したとき、表１から明らかなように、２０％の塩水１滴（０．３ｇ）及び２滴は有効であるが、３滴では上記の有効温度に達しなかった。このことは、粉体又は成形体の重量に対し、塩水１滴の量では最高発熱温度５８℃にとどまったが、塩水２滴の量は、粉体の重量と略等量となるので、最高発熱温度は６２℃と高くなり、塩水の滴下数３滴とすると、粉体の量よりも過剰となり、外気（酸素）の侵入を妨げるので、発熱温度が上がらず、有効温度に達しないと考えられる。
【００１７】
実施例２
還元鉄粉１００ｇと活性炭４２ｇと塩化カリウム１２ｇとバーミキュライト３６ｇを添加し良く撹拌して発熱組成物Ｂの粉体から成る灸具Ｂ１を作製した。
還元鉄粉１００ｇと活性炭４２ｇと塩化カリウム１２ｇとバーミキュライト３６ｇとポリテトラフルオルエチレン系繊維質粉５ｇを添加し良く撹拌し、発熱組成物Ｂの粉体を作製後、これを加圧成形機により合成繊維不織布から成る肉薄のシート上面に径１ｃｍ、厚さ１ｍｍ程度の円盤状の発熱組成物Ｂの成形体（重量０．２ｇ）の多数個を縦横に配設貼着した後、打ち抜き型により、各成形体の周縁で径１．４ｍｍの円板状の肉薄シートの小片に打ち抜き、肉薄のシートの小片上に発熱組成物Ｂの成形体Ｂ２が多数配設された灸具製品を作製した。
【００１８】
次に、上記の発熱組成物Ｂの粉体Ｂ１につき、上記の発熱温度測定装置を用い、その各センサーの上面に粉体０．２ｇずつを載せ、予め水道水を入れたコップから水をスポイトで吸い上げ、その各粉体に、１滴、２滴、３滴と滴数を異にして滴下し、その各粉体の温度を経時的に各温度記録計で測定した。その結果は、下記表2に示す通りであった。
本発明の発熱組成物Ｂは、水を含まないので、上記の粉体及び成形体のいずれでも、長期に亘り外気に曝し放置しても、発熱昇温することはなく、水を添加したとき始めて発熱昇温するという特徴がある。
従って、発熱組成物Ａの粉体Ａ１と成形体Ａ２と同様に、各種の包装用容器に瞬間密封して保存し、製品とし、お灸としての使用時に、その適量の水を付与すればよい。水は、小瓶に入れたものを製品として発熱組成物Ｂの包装容器とセットとして販売しても良いが、鍼灸医や一般消費者の使用者の家庭の水道を使用すればよいので、発熱組成物Ｂの包装容器単独で販売することが一般である。
【００１９】
【表２】
2007068820.tif 000004
【００２０】
表２から明らかなように、発熱組成物Ｂの粉体Ｂ１及び成形体Ｂ２は、表１に示す発熱組成物Ａの発熱温度特性と略同様の傾向を示した。また、水の代わりに、塩水を使用しても同様に有効であるが、あえて塩水を使用する必要はないことは勿論である。
【００２１】
更に、上記発熱組成物Ａ及びＢの夫々の粉体及び成形体の量を半減した０．１ｇで上記の発熱温度特性試験を行ったところ、塩水又は水を１滴滴下するときに表１及び表２に示すと同じ６２〜６３℃の最高発熱温度を示し、その４５℃以上の持続時間は半分に短縮した。
【００２２】
一方、最高発熱温度を更に高くするには、粉体や成形体中の鉄粉の配合量を増大させ、炭素粉や塩類の配合量を減少させることにより得られるが、灸具として最高発熱温度は７０℃以下が好ましい観点から、種々これらの配合量を変えて、上記の発熱温度特性試験を行った。
尚、鉄粉としては、活性炭の他、アトマイズ鉄粉、鋳鉄粉が好ましく使用できる。
その結果、発熱組成物Ａの場合は、鉄粉１００重量％に対し、活性炭３０〜６０重量％の配合が好ましく、これに対し、添加される塩水の濃度は、塩化カリウム１０〜２５％の塩水を鉄粉１００重量％に対し５０〜８０重量％添加することにより、４５℃〜７０℃の範囲の最高発熱温度が得られ、４５℃以上の温度が約３０秒〜７分程度の範囲で持続することが判った。
また、発熱組成物Ｂの場合は、鉄粉１００重量％に対し活性炭３０〜６０重量％、塩化カリウム１０〜２５重量％の配合が好ましく、これに対し、水を鉄粉１００重量％に対し４０〜７０重量％添加することにより、４５℃〜７０℃の範囲の最高発熱温度が得られ、４５℃以上の温度が約３０秒〜７分程度の範囲で持続することが判明した。
【００２３】
塩水に溶解させる塩類、或いは鉄粉に配合する塩類としては、塩化カリウム、塩化ナトリウム、塩化マグネシウム、硫酸マグネシウムなどが選択配合される。
発熱組成物Ａ又はＢの粉体を成形する場合、成形材料として上記の実施例ではポリテトラフルオルエチレン系繊維質粉を使用したが、鉄粉１００重量％に対し１〜１０重量％の配合が好ましい。その他の成形材としては、セルロース系繊維、ポリアミド繊維、ポリエステル繊維などの合成繊維系の短繊維、ロックウール、ガラス繊維、アルミナ繊維、金属繊維などの無機系の短繊維などから選択配合される。
発熱作用に関係のないバーミキュライトなどの多孔質の保水剤は、発熱組成物Ａ又はＢの組成成分として配合することが好ましく、一般であるが、必ずしも配合する必要はない。配合する場合は、鉄粉１００重量％に対し５０重量％以下、好ましくは４０重量％以下である。多孔質保水材としては、バーミキュライトの他、木粉、リンターパルプなどが選択配合される。
多孔質保水剤を添加しない発熱組成物Ａ又はＢは、塩水又は水を付与した場合に、粉体や成形体の内部への浸透拡散速度がいくらか遅くなるが、上記の好ましい発熱温度特性を発揮することに変わりがない。
【００２４】
図１は、本発明の実施の1例の灸具の側面図を示す。
該灸具１は、肉薄の不織布から成り、ツボに当てるに適した径１５ｍｍ程度の円形状の小片１ａの上面に、還元鉄粉１００重量％に対し活性炭４０重量％とバーミキュライト３５重量％を配合して混合して成る重量０．２ｇ、径１０ｍｍを有する発熱組成物Ａの成形体を粘着剤塗膜１ｂを介し押圧貼着して成る。
使用者は使用に当たり、該灸具１を所要のツボに当て、その成形体に、水に塩化ナトリウムを２０％溶解して成る塩水を入れた透明な小瓶を開栓し、スポイトで吸い上げた塩水を２滴滴下する。然るときは、発熱昇温し、ツボに熱刺激を与え、いわゆる灸治療を行うことができる。所望に応じ、新しい上記の灸具１を用い、同じツボに、２回又は３回の灸治療を行う。
【００２５】
灸具１として、上記の肉薄の不織布１ａの裏面に感圧性接着剤の塗面を有するものを作製し、これをツボに貼り付けて固定し使用する形態様灸具に構成してもよい。
図２は、その灸具１Ａを示す。即ち、図１に示す肉薄の不織布から成る小片１ａと貼着剤塗膜１ｂと発熱組成物の成形体Ａを具備する灸具１の該小片１ａの裏面に施された感圧性接着剤の塗膜１ｃを介し、離型紙１ｄの小片を仮貼着して成るもので、使用時には、該離型紙１ｄを剥がし、該灸具１Ａをその感圧性接着剤塗膜１ｃ面でツボに貼着することにより、灸具１Ａがツボからずれる不安なく安定した使用ができる。
【００２６】
図３は、図２に示す灸具１Ａの多数個を共通一枚の剥離紙上に一連に配設して成る形態の灸具製品を示す。
即ち、図３において、広幅帯状の離型紙１ｄ上面に、同寸法の広幅帯状の肉薄の不織布１ａを感圧性接着剤塗膜１ｃを介して貼着して成るラミネート紙の該肉薄不織布１ａの上面に施した接着剤塗膜面に加圧成形機により、発熱組成物Ａの径１０ｍｍの成形体の多数個を縦、横に一定の間隔を存して配設、圧着した後、打ち抜き型により、各成形体Ａの周縁において径１５ｍｍの円形状に打ち抜き、該不織布１ａの不要な余白部を離型紙１ｄ面から除去することにより、共通一枚の広幅帯状の離型紙１ａ上面に、灸具１Ａの多数個が縦、横に配列された一連の灸具が得られる。かくして、これを長さ方向において、一定の間隔で幅方向に裁断し、所定の方形の離型紙１ａの上面に所定の数の灸具１Ａが一連に配設された灸具製品が製造される。かくして、使用者は、使用に当たり、その離型紙１ｄから灸具１Ａを１つずつ剥がして使用することができる。
【００２７】
図４は、図３示の一連の灸具製品の変形例を示す。即ち、図３示の打ち抜き型により、各成形体Ａの周縁を打ち抜き、その余白部を剥離除去することに代え、縦、横に配列した各成形体A間に縦横にミシン目１ｅ，１ｅ，…を入れた一連の灸具製品としたもので、使用時には、そのミシン目で方形に区劃された各成形体Ａの小片に切り裂いて使用するようにしたものである。
【００２８】
図５は、更に他の変形例の灸具を示す。該灸具１Ｂは、肉薄の不織布１ａの下面に、適当に肉厚の例えば２ｍｍ程度の肉厚で、且つ中心に通気孔２ａを穿設して成る紙や合成樹脂から成る台紙2を貼着し、該台紙２の下面に、つまみ１ｄ１を穿設した離型紙１ｄを貼着して構成されている。而して、使用に当たり、該灸具１Ｂは、その離型紙１ｄを除去し、その台紙２の下面の感圧性接着剤塗膜１ｃを介し、所定のツボに貼着し、該発熱組成物Ａの成形体に塩水を付与することにより生ずる有効発熱温度によるツボに与える熱刺激を、該台紙２の介在により適当に緩和調節することができる。
【００２９】
図６は、更に他の灸具の変形例を示す。該灸具１Ｃは、合成樹脂で成形した下端外周に鍔３ａを有する筒状成形体３と、その筒状体３の中心に形成された筒状の通気孔３ｂに発熱組成物Ａの柱状成形体を圧入装填し、該筒状体３の鍔３ａの下面に塗布した感圧接着剤塗膜１ｃに離型紙１ｄを貼着して構成されている。
而して、使用に当たり、該灸具１Ｃは、その離型紙１ｄを剥がし、その感圧性接着塗布面１ｃで所定のツボに貼着し、その柱状成形体Ａに塩水を付与して使用する。図示しないが、該柱状成形体Ａは、該筒状通気孔３ｂ内に適当な深さまで装填し、その下面と筒状成形体3の底面との間に所望の深さのスペースを存せしめて熱刺激の調節を計ることができる。一方、該筒状通気孔３ｂと同じ長さとし、その全長に亘り、詰め込むようにしても良いことは勿論である。
【００３０】
尚、図１〜図５に示す灸具は、各発熱組成物Ａの成形体が外部との接触による損傷や外気との接触を防止し、一層長期保存の延長のため、図示しないが、保護カバーシートで被覆し、その外周縁を該灸具に貼着固定した製品とすることが好ましい。
これらの灸具製品は、箱状容器、袋状容器、瓶型容器に所望個数収容し、密栓、封口した包装製品とする。一方、塩水又は水はその適当量を小瓶に入れ密栓し、上記の発熱組成物Ａとセットとして市販される。
【００３１】
上記図示の灸具は、発熱組成物Aの成形体で説明したが、これを発熱組成物Ｂの成形体に代えてもよいことは勿論である。
尚、発熱組成物Ａ又はＢの粉体は、市販用として、例えば、その適量を、瓶や袋に収納し、密封した包装製品とし、使用者は、使用に当たり、容器から従来のもぐさ灸と同じ要領でその少量を取り出しツボに当て、これに対応する適量の塩水又は水を付与して治療を行うことができる。
ツボに当てた発熱組成物の粉体や成形体への塩水や水の付与は、スポイトやストローなどによる滴下の他、霧吹きにより噴き付けたり、或いは塩水や水に漬けて濡れた棒や紙片を接触させるなど所望の手段により付与することができる。
【図面の簡単な説明】
【００３２】
【図１】本発明の実施の1例の灸具の拡大側面図。
【図２】その変形例の灸具の拡大側面図。
【図３】他の実施例の一連の灸具の製造過程の一部を示す斜視図。
【図４】更に他の実施例の一連の灸具の一部の平面図。
【図５】更に他の実施例の灸具の中央縦断面図。
【図６】更に他の実施例の灸具の中央縦断面図。
【符号の説明】
【００３３】
１，１Ａ，１Ｂ，１Ｃ  灸具
Ａ  発熱組成物
１ａ  肉薄の不織布、切片
１ｂ  粘着剤塗膜
１ｃ  感圧接着剤塗膜
１ｄ  離型紙
２  台紙
３  筒状成形体
【図１】
2007068820.tif 000005
【図２】
2007068820.tif 000006
【図３】
2007068820.tif 000007
【図４】
2007068820.tif 000008
【図５】
2007068820.tif 000009
【図６】
2007068820.tif 000010